【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
紫外（ＵＶ）および／または可視域内の放射を発することが可能な少なくとも１つの発光ダイオード（３、３’、３ａから３ｃ）と、
主面（１１、１２）およびエッジ（１３）を有し、ダイオードを収納する穴（２、２’、２”）を有する実質的に平板状のガラス素子（１）と、
熱を取り除くためにダイオードに接続されてかつ前記ガラス素子に連結された金属製素子（４、４’、４”、４５０）とを含み、
さらに、前記金属製素子が電気的接続素子（４、４’、４”）および／またはダイオードを前記穴の中に保つための保持用素子（４、４’、４”、４５０）から選択される、発光構造体（１００、１１０、２００、３００、３１０、４００、４１０、５００、５１０、６００、７００、７１０、８００、８１０、９００、９１０、１０００、１０１０）。
【請求項２】
金属製素子（４５０）が主面のうちの少なくとも一方および／またはエッジおよび／または穴を形成する側壁と直接的に接触していることを特徴とする、請求項１に記載の発光構造体（３１０）。
【請求項３】
１つもしくは複数の層および／または１つもしくは複数の配線、特に電極（５１、５１’、５１”、５２、５２’、５２”）、電力供給部材（５１’ａから５１’ｃ）、ミラーまたは装飾を有する機能素子がガラス素子（１）と金属製素子（４、４’、４”）との間に挿入されることを特徴とする、請求項１または２のいずれかに記載の発光構造体（１００、１１０、２００、３００、３１０、４００、４１０、５００、５１０、６００、７００、７１０、８００、８１０、９００、９１０、１０００、１０１０）。
【請求項４】
金属製素子（４、４’、４”、４５０）が穴の中に組み入れられ、または穴と同一平面になることを特徴とする、請求項１から３のいずれか一項に記載の発光構造体（１００、１１０、２００、３００、３１０、４００、４１０、５００、５１０、６００、７００、７１０、８００、８１０、９００、９１０、１０００、１０１０）。
【請求項５】
金属製素子（４、４’、４”、４５０）がＴ字型、Ｅ字型、もしくはＬ字型の断面を備えた一片、またはＬ字型断面の２部分の断片（４１、４２、４５１、４５２）であり、好ましくは０．２ｍｍ以下の厚さを有する一片または２部分断片であることを特徴とする、請求項１から４のいずれか一項に記載の発光構造体（１００、１１０、２００、３００、３１０、４００、４１０、５００、５１０、６００、７００、７１０、８００、８１０、９００、９１０、１０００、１０１０）。
【請求項６】
保持用素子（４”）である金属製素子が、保持用の外形を有する選択された穴（２”）の中で自己遮断型であることを特徴とする、請求項１から５のいずれか一項に記載の発光構造体（１０００、１０１０）。
【請求項７】
保持用素子である金属製素子がダイオード（３）と接触しているバネ（４３’）を含むことを特徴とする、請求項１から６のいずれか一項に記載の発光構造体（９１０、１０００、１０１０）。
【請求項８】
穴がエッジ（１３）にあるとき、保持用素子である金属製素子（４）が３つの実質的に平板状の部分、すなわち
主面と接触している２つの主要部分（４１０、４２０）と、
エッジの部分と接触している側部（４２０、４３０）とを含み、前記保持用素子がエッジを把持することが可能であるか、または２つの主要部分が主面上に作られた切り込みに係合するツメを設けられることを特徴とする、請求項１から７のいずれか一項に記載の発光構造体（８００、８１０）。
【請求項９】
金属製素子（４）が、無機のフィラーを含むシリコーンを主成分とすることが好ましい電気絶縁性でかつ熱伝導性の素子（９１）であって金属箔（９２）の下に設置される素子によって覆われることを特徴とする、請求項１から８のいずれか一項に記載の発光構造体（６００）。
【請求項１０】
穴（２”）が２ｍｍ以上の幅を有することを特徴とする、請求項１から９のいずれか一項に記載の発光構造体（９００、９１０、１０００、１０１０）。
【請求項１１】
金属製素子ならびに好ましくは１つもしくは複数の電極および／または電力供給部材を受け入れるために穴が中ぐりされることを特徴とする、請求項１から１０のいずれか一項に記載の発光構造体（３００、３１０、９１０）。
【請求項１２】
電流または電圧を供給される複数のダイオード（７００）を含むことを特徴とする、請求項１から１１のいずれか一項に記載の発光構造体（１００、１１０、２００、３００、３１０、４００、４１０、５００、５１０、６００、７００、７１０、８００、８１０、９００、９１０、１０００、１０１０）。
【請求項１３】
金属製素子と場合によっては接触しており、それぞれ一方でかつ同じ主面上、もしくは両方の主面上、ならびに／または穴（２）の底部および穴の外側に設置される第１と第２の電極（５、５’、５”、５１、５１’、５１”、５２、５２’、５２”）を含むことを特徴とする、請求項１から１２のいずれか一項に記載の発光構造体（１００、１１０、２００、３００、３１０、４００、４１０、５００、５１０、６００、７１０、８００、８１０、９００、９１０、１０００、１０１０）。
【請求項１４】
第１と第２の電極のうちの少なくとも１つが、特に全体として透過性を有する導電性アレイ、または１つまたは複数の薄くかつ／または電流リークする誘電体層で場合によっては覆われた導電性で特に透明の層（５、５’、５”、５１、５１’、５２、５２’）から選択されることを特徴とする、請求項１３に記載の発光構造体（１００、１１０、２００、３００、３１０、４００、４１０、５００、５１０、６００、７１０、８００、８１０、９００、９１０、１０００、１０１０）。
【請求項１５】
金属の（ナノ）粒子を備えたインクジェット軌道（５’、５１’、５１’ａから５１’ｃ）である、またはスクリーン印刷される（６１から６２’）少なくとも１つの電極および／または電力供給部材を含むことを特徴とする、請求項１から１４のいずれか一項に記載の発光構造体（１００、２００、３００、４００、５００、７００、７１０、８１０、９００、９１０、１０００）。
【請求項１６】
ダイオード（３、３’）が以下のダイオード、すなわち
チップ（３１）の反対側の両面上、もしくはチップの同じ面上に電気的接点を備えたダイオードもしくは側面発光ダイオードと、
焦点集束用レンズ（３２）を備えたダイオードまたはカプセル封入されていないチップを含むダイオードと、
主発光方向が直角もしくは斜めであるダイオード、またはチップの発光面に対して斜めである２つの主発光方向を有してバットウィング形状を与えるダイオード、または２つの斜めの主発光方向のみを有するダイオードと、
エッジ内で導波するため、あるいは一方もしくは両方の面を経由または穴を経由した直接発光のために設置されるダイオードと
のうちの１つまたは複数から選択されることを特徴とする、請求項１から１５のいずれか一項に記載の発光構造体（１００、１１０、２００、３００、３１０、４００、４１０、５００、５１０、６００、７００、７１０、８００、８１０、９００、９１０、１０００、１０１０）。
【請求項１７】
複数のダイオード（３、３’）、および所与の色もしくは多様な色で永続的もしくは断続的のどちらかで放射を発するようにダイオードを駆動するための、または個別にダイオードをアドレス指定するための手段を含むことを特徴とする、請求項１から１６のいずれか一項に記載の発光構造体（１００、１１０、２００、３００、３１０、４００、４１０、５００、５１０、６００、７００、７１０、８００、８１０、９００、９１０、１０００、１０１０）。
【請求項１８】
ガラスドアを形成するように可動性であること、および溝を形成する穴の中で整列させられてかつ第１と第２の電極（５１、５２、５２”）が設けられた主面に形成される複数のダイオード（３、３ａから３ｃ）と、ドアの位置に応じて電力供給の遮断によって断続的に放射を発するようにダイオードを駆動するための手段とを含むことを特徴とする、請求項１から１７のいずれか一項に記載の発光構造体（４００、４１０、５００）。
【請求項１９】
共通の電力供給部材に接続された殆ど平行であることが好ましい複数の第１の導電性軌道と、
第１の導電性軌道と交互でありかつ別の共通の電力供給部材を介して電力供給される、実質的に平行であることが好ましい複数の第２の導電性軌道と、
第１と第２の電極を形成する第１と第２の軌道の間に各々が挿入され、溝を形成することが好ましい複数の穴であって、ダイオードと、電気的接続素子および好ましくは保持用素子として役立つ金属製素子とを収納する穴と
を含むことを特徴とする、請求項１から１８のいずれか一項に記載の発光構造体（７１０）。
【請求項２０】
ガラス素子が好ましくは透明、または極透明のソーダ石灰シリカガラスで作られることを特徴とする、請求項１から１９のいずれか一項に記載の発光構造体（１００、１１０、２００、３００、３１０、４００、４１０、５００、５１０、６００、７００、７１０、８００、８１０、９００、９１０、１０００、１０１０）。
【請求項２１】
導波路の内側で放射を結合させるための部分ではない少なくとも１つのエッジ部分が反射用であり、好ましくは金属化されることを特徴とする、請求項１から２０のいずれか一項に記載の発光構造体（１００、２００、３００、３１０、５１０、６００、７００、７１０、８００、８１０、９００、９１０、１０００、１０１０）。
【請求項２２】
主面のうちの発光面である一方に付随する無機の拡散用の層（７０）を含むことを特徴とする、請求項１から２１のいずれか一項に記載の発光構造体（２００、３１０）。
【請求項２３】
モノリシック構造体、好ましくは単純なガラスはめ加工品ユニットを形成するように光導波路がモノリシックであることを特徴とする、請求項１から２２のいずれか一項に記載の発光構造体（１００、１１０、２００、３００、４００、４１０、５００、５１０、６００、７００、７１０、８００、８１０、９００、９１０、１０００、１０１０）。
【請求項２４】
前記選択された無機の導波路、ガラスシート、拡散用の選択された積層中間層、および拡散用の外部主面を場合によっては伴うガラスの背面羽目板から形成された積層ガラスはめ加工品ユニットを含むことを特徴とする、請求項１から２３のいずれか一項に記載の発光構造体（３１０）。
【請求項２５】
照明用、装飾用、建築用、または表示用のガラスはめ加工品を形成することを特徴とする、請求項１から２４のいずれか一項に記載の発光構造体（１００、１１０、２００、３００、３１０、４００、４１０、５００、５１０、６００、７００、７１０、８００、８１０、９００、９１０、１０００、１０１０）。
【請求項２６】
照明用窓または建物の壁または構造体上のガラスはめ加工品などの建物用に意図された構造体、特にガラスはめ加工品への、安全なガラスドア、特にスライド式ドアへの、例えば自動車のリヤウィンドウ、サイドウィンドウまたは屋根などの輸送車両への、いずれかの他の地上用、水中用または飛行乗り物への、例えばバス停、表示用もしくは広告用パネル、または手すりなどの都市の設備への、陳列棚、ショーウィンドウまたは棚の要素への、道路または都市の照明への、水槽、ショーウィンドウまたは温室への、特に間仕切りまたは鏡などの台所または浴室用の室内設備への、コンピュータ、テレビ受像機または電話器タイプの表示画面への、電気的に制御可能なシステムへの、液晶ディスプレイ用、光線療法用のバックライト装置への、冷蔵庫の棚または台所の調理台などの家庭用電気機器の中に一体化される構造体への、請求項１から２５のいずれか一項に記載の発光構造体（１００、１１０、２００、３００、３１０、４００、４１０、５００、５１０、６００、７００、７１０、８００、８１０、９００、９１０、１０００、１０１０）の用途。
【請求項２７】
請求項１から２５のいずれか一項に記載のダイオードを有する発光構造体（１０１０）を製造するための方法であって、
穴（２、２’、２”）を機械加工する工程と、
主面のうちの一方（１１）の上に２つの電極（５１、５２）を形成する導電性の層を堆積する工程とを含む、方法。
【請求項２８】
ガラス素子を強化する工程を含むことを特徴とする、請求項２７に記載の発光構造体を製造するための方法。
【請求項２９】
機械加工が穴（２”）に保持用の外形を与えることを特徴とする、請求項２７および２８のいずれかに記載の発光構造体を製造するための方法。
【請求項３０】
穴の機械加工が結果として前記金属製素子を収納するためのくり穴（２２）をもたらすことを特徴とする、請求項２７から２９のいずれか一項に記載の発光構造体を製造するための方法。